【手続補正書】
【提出日】平成16年6月11日(2004.6.11)
【手続補正１】
【補正対象書類名】明細書
【補正対象項目名】発明の名称
【補正方法】変更
【補正の内容】
【発明の名称】情報再生装置と情報再生方法
【手続補正２】
【補正対象書類名】明細書
【補正対象項目名】特許請求の範囲
【補正方法】変更
【補正の内容】
【特許請求の範囲】
【請求項１】
情報記録媒体を複数種類の回転速度の中から設定された回転速度で回転させる回転手段と、該回転手段によって回転させながら前記情報記録媒体上のデータを再生する再生手段とを備えた情報再生装置において、
前記回転手段によって初期設定された回転速度で前記情報記録媒体を回転させながら前記再生手段によって再生したデータに基づいて前記情報記録媒体の種類を判断する情報記録媒体種類判断手段と、該手段によって前記情報記録媒体の種類をＤＶＤ−ＲＯＭディスクと判断したときには前記回転制御手段に前記各回転速度の中から最大の回転速度を設定し、前記情報記録媒体の種類をＤＶＤビデオディスク又はＤＶＤオーディオディスクと判断したときには前記各回転速度の中から予め選定しておいた前記最大の回転速度よりも低速のＤＶＤビデオ・オーディオ用回転速度を設定する回転速度設定手段とを設けたことを特徴とする情報再生装置。
【請求項２】
請求項１記載の情報再生装置において、
前記情報記録媒体種類判断手段が、前記情報記録媒体のディレクトリ又はファイル情報が記録されている特定領域を再生してＤＶＤビデオディスク又はＤＶＤオーディオディスクを示す識別情報を検出したときに、前記情報記録媒体の種類をＤＶＤビデオディスク又はＤＶＤオーディオディスクと判断する手段であることを特徴とする情報再生装置。
【請求項３】
前記識別情報がＤＶＤビデオフォーマットを示すディレクトリ名情報又はＤＶＤオーディオフォーマットを示すディレクトリ名情報である請求項２記載の情報再生装置。
【請求項４】
請求項１記載の情報再生装置において、
前記情報記録媒体種類判断手段が、前記情報記録媒体のコピーライト情報が記録されている特定領域を再生してコピーライトフラグを検出したときに、前記情報記録媒体の種類をＤＶＤビデオディスク又はＤＶＤオーディオディスクと判断する手段であることを特徴とする情報再生装置。
【請求項５】
請求項１乃至４のいずれか一項に記載の情報再生装置において、
前記情報記録媒体種類判断手段による前記情報記録媒体の種類の判断を、前記情報記録媒体挿入時のディスク情報マウント処理時に実行する手段を設けたことを特徴とする情報再生装置。
【請求項６】
請求項１乃至５のいずれか一項に記載の情報再生装置において、
前記回転速度設定手段による回転速度の設定を前記情報記録媒体上のデータのスクランブルデータを解くためのビデオ再生用の相互互認証を実施した直後に行う手段を設けたことを特徴とする情報再生装置。
【請求項７】
請求項１乃至６のいずれか一項に記載の情報再生装置において、
前記回転速度設定手段に、前記ＤＶＤビデオ・オーディオ用回転速度の設定の際に外部から前記ＤＶＤビデオ・オーディオ用回転速度よりも高速の回転速度が指示されていても、前記ＤＶＤビデオ・オーディオ用回転速度を設定する手段を設けたことを特徴とする情報再生装置。
【請求項８】
情報記録媒体を複数種類の回転速度の中から設定された回転速度で回転させる回転手段と、該回転手段によって回転させながら前記情報記録媒体上のデータを再生する再生手段とを備えた情報再生装置において、
前記データがビデオコンテンツ又はオーディオコンテンツであるときには、前記各回転速度の中から最大の回転速度よりも低速の回転速度を設定する回転速度設定手段を設けたことを特徴とする情報再生装置。
【請求項９】
情報記録媒体を複数種類の回転速度の中から設定された回転速度で回転させる回転手段と、該回転手段によって回転させながら前記情報記録媒体上のデータを再生する再生手段とを備えた情報再生装置において、
前記情報記録媒体の種類がＤＶＤ−ＲＯＭディスクであるときには前記回転制御手段に前記各回転速度の中から最大の回転速度を設定し、前記情報記録媒体の種類がＤＶＤビデオディスク又はＤＶＤオーディオディスクであるときには前記各回転速度の中から予め選定しておいた前記最大の回転速度よりも低速のＤＶＤビデオ・オーディオ用回転速度を設定する回転速度設定手段を設けたことを特徴とする情報再生装置。
【請求項１０】
情報記録媒体を複数種類の回転速度の中から設定された回転速度で回転させながら前記情報記録媒体上のデータを再生する情報再生方法において、
初期設定された回転速度で前記情報記録媒体を回転させながら再生したデータに基づいて前記情報記録媒体の種類を判断し、前記情報記録媒体の種類をＤＶＤ−ＲＯＭディスクと判断したときには前記各回転速度の中から最大の回転速度を設定し、前記情報記録媒体の種類をＤＶＤビデオディスク又はＤＶＤオーディオディスクと判断したときには前記各回転速度の中から予め選定しておいた前記最大の回転速度よりも低速のＤＶＤビデオ・オーディオ用回転速度を設定することを特徴とする情報再生方法。
【請求項１１】
請求項１０記載の情報再生方法において、
前記情報記録媒体のディレクトリ又はファイル情報が記録されている特定領域を再生してＤＶＤビデオディスク又はＤＶＤオーディオディスクを示す識別情報を検出したときに、前記情報記録媒体の種類をＤＶＤビデオディスク又はＤＶＤオーディオディスクと判断することを特徴とする情報再生方法。
【請求項１２】
前記識別情報がＤＶＤビデオフォーマットを示すディレクトリ名情報又はＤＶＤオーディオフォーマットを示すディレクトリ名情報である請求項１１記載の情報再生方法。
【請求項１３】
請求項１０記載の情報再生方法において、
前記情報記録媒体のコピーライト情報が記録されている特定領域を再生してコピーライトフラグを検出したときに、前記情報記録媒体の種類をＤＶＤビデオディスク又はＤＶＤオーディオディスクと判断することを特徴とする情報再生方法。
【請求項１４】
請求項１０乃至１３のいずれか一項に記載の情報再生方法において、
前記情報記録媒体の種類の判断を、前記情報記録媒体挿入時のディスク情報マウント処理時に実行することを特徴とする情報再生方法。
【請求項１５】
請求項１０乃至１４のいずれか一項に記載の情報再生方法において、
前記回転速度の設定を前記情報記録媒体上のデータのスクランブルデータを解くためのビデオ再生用の相互互認証を実施した直後に行うことを特徴とする情報再生方法。
【請求項１６】
請求項１０乃至１５のいずれか一項に記載の情報再生方法において、
前記ＤＶＤビデオ・オーディオ用回転速度の設定の際に外部から前記ＤＶＤビデオ・オーディオ用回転速度よりも高速の回転速度が指示されていても、前記ＤＶＤビデオ・オーディオ用回転速度を設定することを特徴とする情報再生方法。
【請求項１７】
情報記録媒体を複数種類の回転速度の中から設定された回転速度で回転させながら前記情報記録媒体上のデータを再生する情報再生方法において、
前記データがビデオコンテンツ又はオーディオコンテンツであるときには、前記各回転速度の中から最大の回転速度よりも低速の回転速度を設定することを特徴とする情報再生方法。
【請求項１８】
情報記録媒体を複数種類の回転速度の中から設定された回転速度で回転させながら前記情報記録媒体上のデータを再生する情報再生方法において、
前記情報記録媒体の種類がＤＶＤ−ＲＯＭディスクであるときには前記各回転速度の中から最大の回転速度を設定し、前記情報記録媒体の種類がＤＶＤビデオディスク又はＤＶＤオーディオディスクであるときには前記各回転速度の中から予め選定しておいた前記最大の回転速度よりも低速のＤＶＤビデオ・オーディオ用回転速度を設定することを特徴とする情報再生方法。
【手続補正３】
【補正対象書類名】明細書
【補正対象項目名】０００１
【補正方法】変更
【補正の内容】
【０００１】
【発明の属する技術分野】
この発明は、ＤＶＤ−ＲＯＭディスク，ＣＤ−Ｒ／ＲＷディスクなどの情報記録媒体のデータを再生する光ディスクドライブ等の情報再生装置と情報再生方法に関する。
【手続補正４】
【補正対象書類名】明細書
【補正対象項目名】０００６
【補正方法】変更
【補正の内容】
【０００６】
【課題を解決するための手段】
この発明は上記の目的を達成するため、情報記録媒体を複数種類の回転速度の中から設定された回転速度で回転させる回転手段と、その回転手段によって回転させながら上記情報記録媒体上のデータを再生する再生手段を備えた情報再生装置において、上記回転手段によって初期設定された回転速度で上記情報記録媒体を回転させながら上記再生手段によって再生したデータに基づいて上記情報記録媒体の種類を判断する情報記録媒体種類判断手段と、その手段によって上記情報記録媒体の種類をＤＶＤ−ＲＯＭディスクと判断したときには上記回転制御手段に上記各回転速度の中から最大の回転速度を設定し、上記情報記録媒体の種類をＤＶＤビデオディスク又はＤＶＤオーディオディスクと判断したときには上記各回転速度の中から予め選定しておいた上記最大の回転速度よりも低速のＤＶＤビデオ・オーディオ用回転速度を設定する回転速度設定手段を設けたものである。
【手続補正５】
【補正対象書類名】明細書
【補正対象項目名】０００８
【補正方法】変更
【補正の内容】
【０００８】
さらに、上記のような情報再生装置において、上記情報記録媒体種類判断手段による上記情報記録媒体の種類の判断を、上記情報記録媒体挿入時のディスク情報マウント処理時に実行する手段を設けるとよい。
また、上記のような情報再生装置において、上記回転速度設定手段による回転速度の設定を上記情報記録媒体上のデータのスクランブルデータを解くためのビデオ再生用の相互認証を実施した直後に行う手段を設けるとよい。
さらに、上記のような情報再生装置において、上記回転速度設定手段に、上記ＤＶＤビデオ・オーディオ用回転速度の設定の際に外部から上記ＤＶＤビデオ・オーディオ用回転速度よりも高速の回転速度が指示されていても、上記ＤＶＤビデオ・オーディオ用回転速度を設定する手段を設けるとよい。
また、情報記録媒体を複数種類の回転速度の中から設定された回転速度で回転させる回転手段と、その回転手段によって回転させながら上記情報記録媒体上のデータを再生する再生手段を備えた情報再生装置において、上記データがビデオコンテンツ又はオーディオコンテンツであるときには、上記各回転速度の中から最大の回転速度よりも低速の回転速度を設定する回転速度設定手段を設けてもよい。
さらに、情報記録媒体を複数種類の回転速度の中から設定された回転速度で回転させる回転手段と、その回転手段によって回転させながら上記情報記録媒体上のデータを再生する再生手段を備えた情報再生装置において、上記情報記録媒体の種類がＤＶＤ−ＲＯＭディスクであるときには上記回転制御手段に上記各回転速度の中から最大の回転速度を設定し、上記情報記録媒体の種類がＤＶＤビデオディスク又はＤＶＤオーディオディスクであるときには上記各回転速度の中から予め選定しておいた上記最大の回転速度よりも低速のＤＶＤビデオ・オーディオ用回転速度を設定する回転速度設定手段を設けてもよい。
次に、情報記録媒体を複数種類の回転速度の中から設定された回転速度で回転させながら上記情報記録媒体上のデータを再生する情報再生方法において、初期設定された回転速度で上記情報記録媒体を回転させながら再生したデータに基づいて上記情報記録媒体の種類を判断し、上記情報記録媒体の種類をＤＶＤ−ＲＯＭディスクと判断したときには上記各回転速度の中から最大の回転速度を設定し、上記情報記録媒体の種類をＤＶＤビデオディスク又はＤＶＤオーディオディスクと判断したときには上記各回転速度の中から予め選定しておいた上記最大の回転速度よりも低速のＤＶＤビデオ・オーディオ用回転速度を設定する情報再生方法も提供する。
また、上記のような情報再生方法において、上記情報記録媒体のディレクトリ又はファイル情報が記録されている特定領域を再生してＤＶＤビデオディスク又はＤＶＤオーディオディスクを示す識別情報を検出したときに、上記情報記録媒体の種類をＤＶＤビデオディスク又はＤＶＤオーディオディスクと判断するとよい。
さらに、上記のような情報再生方法において、上記識別情報を、ＤＶＤビデオフォーマットを示すディレクトリ名情報又はＤＶＤオーディオフォーマットを示すディレクトリ名情報にするとよい。
また、上記のような情報再生方法において、上記情報記録媒体のコピーライト情報が記録されている特定領域を再生してコピーライトフラグを検出したときに、上記情報記録媒体の種類をＤＶＤビデオディスク又はＤＶＤオーディオディスクと判断するとよい。
さらに、上記のような情報再生方法において、上記情報記録媒体の種類の判断を、上記情報記録媒体挿入時のディスク情報マウント処理時に実行するとよい。
また、上記のような情報再生方法において、上記回転速度の設定を上記情報記録媒体上のデータのスクランブルデータを解くためのビデオ再生用の相互互認証を実施した直後に行うとよい。
さらに、上記のような情報再生方法において、上記ＤＶＤビデオ・オーディオ用回転速度の設定の際に外部から上記ＤＶＤビデオ・オーディオ用回転速度よりも高速の回転速度が指示されていても、上記ＤＶＤビデオ・オーディオ用回転速度を設定するとよい。
また、情報記録媒体を複数種類の回転速度の中から設定された回転速度で回転させながら上記情報記録媒体上のデータを再生する情報再生方法において、上記データがビデオコンテンツ又はオーディオコンテンツであるときには、上記各回転速度の中から最大の回転速度よりも低速の回転速度を設定するとよい。
さらに、情報記録媒体を複数種類の回転速度の中から設定された回転速度で回転させながら上記情報記録媒体上のデータを再生する情報再生方法において、上記情報記録媒体の種類がＤＶＤ−ＲＯＭディスクであるときには上記各回転速度の中から最大の回転速度を設定し、上記情報記録媒体の種類がＤＶＤビデオディスク又はＤＶＤオーディオディスクであるときには上記各回転速度の中から予め選定しておいた上記最大の回転速度よりも低速のＤＶＤビデオ・オーディオ用回転速度を設定するとよい。
【手続補正６】
【補正対象書類名】明細書
【補正対象項目名】０００９
【補正方法】変更
【補正の内容】
【０００９】
【発明の実施の形態】
以下、この発明の実施形態を図面に基づいて具体的に説明する。
図１は、この発明の情報再生装置と情報再生方法の一実施形態であるＤＶＤ−ＲＯＭドライブ装置の構成を示すブロック図である。
このＤＶＤ−ＲＯＭドライブ装置２０はＣＰＵ，ＲＯＭ及びＲＡＭ等からなるマイクロコンピュータによって実現され、ＡＴＡＰＩ等のインタフェース（Ｉ／Ｆ）２２を介してパーソナルコンピュータ等のホストコンピュータ２１と接続されており、ＣＤ−ＲＯＭディスク，ＤＶＤ−ＲＯＭディスク等の情報記録媒体である光ディスク２３のデータを再生する。また、ＣＤ−Ｒ／ＲＷディスク，ＤＶＤディスク等の書込可能な情報記録媒体に対するデータの記録も行う。
【手続補正７】
【補正対象書類名】明細書
【補正対象項目名】００１４
【補正方法】変更
【補正の内容】
【００１４】
すなわち、上記システムコントローラ１１，スピンドルコントローラ１５が、情報記録媒体を複数種類の回転速度の中から設定された回転速度で回転させる回転手段の機能を、上記システムコントローラ１１等が、回転手段によって回転させながら情報記録媒体上のデータを再生する再生手段の機能をそれぞれ果たす。
また、上記システムコントローラ１１が、回転手段によって初期設定された回転速度で情報記録媒体を回転させながら再生手段によって再生したデータに基づいて情報記録媒体の種類を判断する情報記録媒体種類判断手段と、その手段によって情報記録媒体の種類をＤＶＤ−ＲＯＭディスクと判断したときには回転制御手段に各回転速度の中から最大の回転速度を設定し、情報記録媒体の種類をＤＶＤビデオディスク又はＤＶＤオーディオディスクと判断したときには各回転速度の中から予め選定しておいた上記最大の回転速度よりも低速のＤＶＤビデオ・オーディオ用回転速度を設定する回転速度設定手段の機能を果たす。
【手続補正８】
【補正対象書類名】明細書
【補正対象項目名】００１７
【補正方法】変更
【補正の内容】
【００１７】
次に、このＤＶＤ−ＲＯＭドライブ装置におけるこの発明に係わる回転速度設定制御処理について説明する。
図２は、図１に示したシステムコントローラ１１によるこの発明に係わる回転速度設定制御処理を示すフローチャート図である。
この発明に係わる回転速度設定制御処理は、挿入されている光ディスク２３がＤＶＤビデオディスク（ＤＶＤ−Ｖｉｄｅｏ  Ｄｉｓｋ）又はＤＶＤオーディオディスク（ＤＶＤ−Ａｕｄｉｏ  Ｄｉｓｋ）であった場合に、予め選定しておいたデータ再生に支障が無く且つ回転時に騒音を発生させない程度に低速の再生速度で回転させるものである。
【手続補正９】
【補正対象書類名】明細書
【補正対象項目名】００２１
【補正方法】変更
【補正の内容】
【００２１】
次に、このＤＶＤ−ＲＯＭドライブ装置におけるこの発明に係わる他の回転速度設定制御処理について説明する。
図３は、図１に示したシステムコントローラ１１によるこの発明に係わる他の回転速度設定制御処理を示すフローチャート図である。
この発明に係わる他の回転速度設定制御処理は、挿入されているＤＶＤ  Ｄｉｓｃの所定の場所であるディレクトリ（Ｄｉｒｅｃｔｏｒｙ）やファイル情報（Ｆｉｌｅ情報）が格納されている場所を再生して、ＤＶＤビデオディスク又はＤＶＤオーディオディスクを特定する識別情報（識別子）を検出することによってＤＶＤビデオディスク又はＤＶＤオーディオディスクか否かを判別するものである。
【手続補正１０】
【補正対象書類名】明細書
【補正対象項目名】００２９
【補正方法】変更
【補正の内容】
【００２９】
次に、このＤＶＤ−ＲＯＭドライブ装置におけるこの発明に係わるまた他の回転速度設定制御処理について説明する。
図４は、図１に示したシステムコントローラ１１によるこの発明に係わるまた他の回転速度設定制御処理を示すフローチャート図である。
この回転速度設定制御処理は、ディスクマウント時に行う。
システムコントローラ１１は、まず、ステップ２１で挿入されている光ディスクのデータを再生するために、フォーカスサーボ，トラッキングサーボなどのサーボ初期化処理を実施する。
ステップ２２へ進んでＤＶＤ又はＣＤかのディスク判別処理を実施する。
【手続補正１１】
【補正対象書類名】明細書
【補正対象項目名】００３４
【補正方法】変更
【補正の内容】
【００３４】
次に、このＤＶＤ−ＲＯＭドライブ装置におけるこの発明に係わるさらに他の回転速度設定制御処理について説明する。
図５は、図１に示したシステムコントローラ１１によるこの発明に係わるさらに他の回転速度設定制御処理を示すフローチャート図である。
システムコントローラ１１は、上述したＣＳＳの一環で、スクランブルされたビデオコンテンツ（Ｖｉｄｅｏ  Ｃｏｎｔｅｎｔｓ）又はオーディオコンテンツを再生するために、ホストコンピュータ２１との間で、このコンテンツ（Ｃｏｎｔｅｎｔｓ）が再生できるか否かを確認するための相互認証処理を実施する。
【手続補正１２】
【補正対象書類名】明細書
【補正対象項目名】００３９
【補正方法】変更
【補正の内容】
【００３９】
次に、このＤＶＤ−ＲＯＭドライブ装置におけるこの発明に係わるさらにまた他の回転速度設定制御処理について説明する。
図６は、図１に示したシステムコントローラ１１によるこの発明に係わるさらにまた他の回転速度設定制御処理を示すフローチャート図である。
この処理は、ホストコンピュータ（Ｈｏｓｔ）２１から速度選定が実施された場合に実施する。
図６に示すように、システムコントローラ１１は、まず、ステップ５１でホストコンピュータから再生速度設定が実施されて、回転速度の指定があったか否かを判断し、回転速度の指定がされていなければ、ステップ５３へ進んでＤＶＤビデオディスク又はＤＶＤオーディオディスク用の低速回転速度（Ｘ４）を設定する。
【手続補正１３】
【補正対象書類名】明細書
【補正対象項目名】００４２
【補正方法】変更
【補正の内容】
【００４２】
【発明の効果】
以上説明してきたように、この発明の情報再生装置と情報再生方法によれば、ＤＶＤ−ＲＯＭディスクのデータ再生時は再生速度を最高速で行えるようにし、ＤＶＤビデオディスク及びＤＶＤオーディオディスクのデータ再生時には騒音や振動を発生させないようにすることができる。
【手続補正１４】
【補正対象書類名】明細書
【補正対象項目名】図２
【補正方法】変更
【補正の内容】
【図２】
図１に示したシステムコントローラ１１によるこの発明に係わる回転速度設定制御処理を示すフローチャート図である。
【手続補正１５】
【補正対象書類名】明細書
【補正対象項目名】図３
【補正方法】変更
【補正の内容】
【図３】
図１に示したシステムコントローラ１１によるこの発明に係わる他の回転速度設定制御処理を示すフローチャート図である。
【手続補正１６】
【補正対象書類名】明細書
【補正対象項目名】図４
【補正方法】変更
【補正の内容】
【図４】
図１に示したシステムコントローラ１１によるこの発明に係わるまた他の回転速度設定制御処理を示すフローチャート図である。
【手続補正１７】
【補正対象書類名】明細書
【補正対象項目名】図５
【補正方法】変更
【補正の内容】
【図５】
図１に示したシステムコントローラ１１によるこの発明に係わるさらに他の回転速度設定制御処理を示すフローチャート図である。
【手続補正１８】
【補正対象書類名】明細書
【補正対象項目名】図６
【補正方法】変更
【補正の内容】
【図６】
図１に示したシステムコントローラ１１によるこの発明に係わるさらにまた他の回転速度設定制御処理を示すフローチャート図である。